(57)【特許請求の範囲】
【請求項１】
対向している壁面間に一対の固定金具２６（２６’）を固設し、該固定金具２６（２６’）間にアルミまたはステンレス等のパイプからなる手摺部材２５を装架させて落下防止用手摺を構成するにあたり、
前記固定金具２６（２６’）は手摺部材２５を両側から挟持できる手摺部    材挟持部２８a、２８ｂと底辺部４４からなる略Ｕ字形状溝を有し、
該固定金具２６（２６’）のＵ字形状溝に前記手摺部材２５の両端部をそ    れぞれ挿嵌把持して手摺部材２５を装架せしめ、
該手摺部材２５と固定金具２６（２６’）とをそれぞれビス止め等の手段    にて固着する位置を固定金具２６（２６’）のＵ字形状溝両端部を構成する    手摺部材挟持部２８a、２８ｂと手摺部材２５の端部間にて行うようにして、
該固着作業のビス止めが固定金具２６（２６’）の手摺部材挟持部２８a、    ２８ｂ側面から電動ドリル等工具で自由に行えるように構成し、
また、前記手摺部材２５に予めラッチ３９の嵌合手段と位置決め嵌合突起    ３６a、３６ｂ、下部位置決め突起３７，並びに突起レール３８a、３８ｂを    有した化粧カバー３４を嵌通しておき、
前記手摺部材２５と固定金具２６（２６’）の固着が完了した時点で前記    化粧カバー３４を手摺部材２５と固定金具２６（２６’）の固着部に嵌合す    る、
ことを特徴とする手摺の取付固定装置。
【発明の詳細な説明】
【０００１】
【発明の属する技術分野】
本発明は建物の窓開口部に落下防止用の手摺部材となるアルミ、ステンレス等のパイプを取り付けるための固定金物に関するものであり、特に、対向して設けられる窓開口枠見込み面間、即ち、手摺部材を装架する間隙寸法が手摺の取付時には固定されている等の制約があり逃げのない部位に於いて手摺部材の両端を固定することの可能な落下防止用手摺の取付固定装置を提供するものである。
【０００２】
【従来の技術】
垂壁に対して直角に手摺、横桟等を取り付ける固定金具として、従来、図６または図７に示す構成が知られている。図６に於いて１は断面がチャンネル形状の固定金具、２はカバー材、３はアルミ等からなる手摺部材であり、前記固定金具１はビス４ａ，４ｂにて壁面５に固設されている。
【０００３】
固定金具１には、支持アーム６ａ，６ｂが形成されており、該支持アーム６ａ，６ｂは手摺部材３の内径部に挿嵌されており、該手摺部材３は上下方向からビス７ａ，７ｂを螺設して固定金具１に固着されている。
カバー材２は鞘管形状のものであり、予め手摺部材３に嵌通しておき、前記手摺部材３を固定金具１に固着した後、スライドさせ、端部を覆い、ビス８にてカバー材２自体を手摺部材３に固定する。
【０００４】
斯くして、図６の従来例を、対向して設けられた窓開口枠見込み面間等に手摺部材３を装架して、両端の開口枠見込み面（壁面５に相当）で固設するための金具として使用すると、手摺部材３は前開口枠見込み面５に固設されたチャンネル形状金具１間に装架し、且つ、それぞれの上下二本の支持アーム６ａ，６ｂを手摺部材３のパイプ内径側で嵌合させ、所謂、行って来いをさせる事により、固定金具２の支持アーム６ａ，６ｂで手摺部材３両端（一端のみ図示）を挿嵌支持した後、該手摺部材３と支持アーム６ａ，６ｂをビス７ａ，７ｂにてビス止め固定して、該ビス止め固定部、前記支持アームと手摺部材の挿嵌部を鞘管形状のカバー材２にて覆い化粧を施す。
【０００５】
一般的に鞘管形状のカバー材２は合成樹脂やアルミダイキャスト製で、予め手摺部材３に嵌通しておき、該カバー材２は手摺部材３のビス止め固着後、両サイドにそれぞれスライドして、手摺固定部分を化粧材として覆う。尚、前記カバー材２は手摺部材３の両サイドにスライドした後、カバー材２下部よりビス８にて固定されている。
【０００６】
而して上述の従来型固定金具に於いては、対向して固設されたチャンネル形状の支持アーム６ａ，６ｂに手摺部材３のパイプ内径側で嵌合させ、左右に行って来いさせることににより、チャンネル形状固定金具１の支持アーム６ａ，６ｂで手摺部材３を挿嵌支持しているので、手摺部材３の切断寸法設定が難しく、また手摺部材３を固定金具１に、行って来いして挿嵌させるため、手摺部材３と固定金具１間には間隙Ｇが出来ることになる。
【０００７】
更に手摺部材３と固定金具１の固着作業は、電動ドリルによる孔開け、ビス止め作業が伴い、電動ドリルが窓開口見込み面に接近してしまうので、作業性が悪く熟練を要求され、特に化粧カバー材２の固定のため、カバー材２下部からのビス止め作業は厄介なもので、取付作業の効率を極めて悪いものにしている。
【０００８】
また前記従来型固定金具の欠点、即ち、手摺長さの設定が難しかった点を解決するために図７に示す固定金具も使用されている。
図７に於いて図６と同一符号は同一構成要素を示しており、１は断面がチャンネル形状の固定金具、２はカバー材、３はアルミ等のパイプからなる手摺部材で有り、前記固定金具１はビス４ａ，４bにて壁面５に固設されている。
【０００９】
図７の従来例に於いては壁面５に固設された固定金具１の支持アーム６ａ，６ｂに手摺部材３に予め嵌通して於いた鞘管形状のカバー材２をスライドさせて挿嵌し固定ビス９にてカバー材２を固定金具１に固着する。
手摺部材３の固定金具１への固着は前記固定金具１に固着されたカバー材２を介してなされ、カバー材２の下部に予め設けられているビス８を螺着することで、手摺部材３を壁面５（一端のみ図示）に装架固定できる。
【００１０】
而して、図７の従来例に於いては、それぞれのビスによる固定がカバー材２の下部となるが、ビスによる螺着位置は固定金具１及びカバー材２の製作時に孔を穿ち、タップを切っておくことが出来るので、現場作業は壁面５に近寄りすぎた下部であっても前記従来例よりは改善されている。
【００１１】
また手摺部材３の切断寸法設定は前記固定金具１と手摺部材３端部間隙Ｇ’を配慮すれば良く比較的簡便化されている。しかし乍らそれでもなお図７の従来例では手摺部材３が鞘管形状のカバー材２を介して固定金物１に固定されているのみであるから、例えカバー材２をアルミダイキャスト材で製作しても強固な強度を有する落下防止用手摺とはなり得ない。
【００１２】
【発明が解決しようとする課題】
本発明は上述の点に鑑みなされたもので、手摺部材を装架する間隙寸法が既に固定されているような部位、即ち窓開口枠見込み面間に落下防止用手摺を設置固定するに際して、手摺部材の切断寸法誤差を両端の固定金具に於いて十分に許容出来る落下防止用手摺の取付固定装置を提供する。
【００１３】
また、手摺部材を固定金具に固着するに際して、電動ドリル等の工具が自由に使用でき作業効率が悪くならない落下防止用手摺の取付固定装置を提供する。
【００１４】
更に、固定金具と手摺部材が強固に固定出来、落下防止用の手摺として十分な強度をもつ落下防止用手摺の取付固定装置を提供する等の目的を有している。
【００１５】
【課題を解決するための手段】
上記の目的を達成するために、本発明の落下防止用手摺の取付固定装置は、壁面に固設され、手摺部材を挿嵌把持出来るU字形溝を成している。
該U字形状溝を成した固定金具は両壁面に固設され、前記手摺部材をU字形状溝に挿嵌把持する。
手摺部材の切断寸法誤差、即ち、手摺部材の長短は固定金具のU字形状溝内にて許容する。
【００１６】
また本発明に於いては手摺部材を固定金具に固着するに際して、従来例が作業性の悪い固定金具下部方向からのビス止めであったところを、該固定金物の形状をU字形状溝に成して、前記手摺部材を挿嵌把持するように構成したことで、固定金具の側面から電動ドリル等の工具にて自由に工作する事が出来るようにした。
【００１７】
更に、本発明に於いては、壁面に固設される固定金具に直接手摺部材を固着し、該固着形状は固定金具が手摺部材を把持した構成で、螺着固定されていることから、固定金具と手摺部材が強固に固定出来、落下防止用の手摺として十分な強度を持つ落下防止用手摺の取付固定装置を提供する事が出来る。
【００１８】
【発明の実施の形態及び実施例】
本発明の実施の形態を図１乃至図５に基づき説明する。
図１は本発明が実施され最も効果的な部位を示す説明図であり、該図１はマンション等の窓開口部内観図であり、サッシュ２０の取り付けられた窓開口枠２１は、上枠２２，下枠２３，竪枠２４ａ、２４ｂから構成されている。
【００１９】
符号２５，２５’は前記竪枠２４ａ，２４ｂ間に装架固定されている手摺部材であって、該手摺部材２５，２５’は他の手段で、竪枠２４ａ，２４ｂ見付面Wに固定されることもありうるが、本発明に於いては、部屋内側に手摺等が突起している意匠ではなく、見付面Wの側面に位置する見込み面D間に手摺部材両端を固定して、部屋内側を少しでも広く有効に活用する場合の手摺取付固定装置を対象としている。
【００２０】
斯くして図２は本発明の構成部材である固定金具２６（２６’）を示す説明図であって、図２(A）は固定金具の側面図、図２(B）は正面図、図２（C）は平面図をそれぞれ示している。
【００２１】
図２の固定金具２６（２６’）はステンレス板材等を型取り、曲げ加工して作られ、図２(B)のように略U字形状溝を成した手摺部材把持部２７、該把持部２７を構成する手摺部材挟持部２８ａ，２８ｂ、及び底辺部４４とからなり、該手摺部材挟持部２８ａ，２８ｂには、手摺部材を固定するための皿ビス螺着孔２９ａ，２９ｂが穿たれており、該皿ビス螺着孔２９ａ，２９ｂ上部には後述する化粧カバーの位置決め嵌合溝３０ａ，３０ｂが切り欠き加工されている。
【００２２】
尚、図２において３１ａ，３１ｂは固定金具２６（２６’）を前述の竪枠見込み面Ｄにドリルネジ等で固定するためのネジ孔、３２は化粧カバー材下部位置決め溝、３３は化粧カバー材を固定するためのラッチ嵌着溝を示している。
【００２３】
図３は上述した手摺部材２５の固定金具２６（２６’）への固着後、手摺部材２５と固定金具２６（２６’）を両端部で覆う化粧カバー３４（３４’）を示す説明図で、図３(A）は側断面図、図３(B）は背面図、図３（C）は下部見上げ図を示している。
【００２４】
図３(A）、図３(B）、図３(C）に於いて、化粧カバー３４（３４’）は、主に合成樹脂、アルミダイキャスト等にて製作され、該形状は鞘管形状を有し、前記手摺部材２５を貫通させてスライド可能とする手摺部材貫通孔３５、該貫通孔３５内径側に突起形状物として設けられた位置決め嵌合突起３６ａ，３６ｂ、下部位置決め突起３７，及び貫通させた手摺部材２５外を円滑に化粧カバー３４自体がスライド出来る様に設けた突起レール３８ａ，３８ｂからなる。
【００２５】
尚、符号３９は化粧カバー３４を前記固定金具２６（２６’）に係合固着させるためのラッチ、同４０は前記ラッチ３９の固定金具２６（２６’）への係合固着を解除するためのドライバー挿入孔であって、結露抜き孔をも兼用している。
【００２６】
斯くして本発明は、上述の固定金具２６（２６’）及び化粧カバー３４（３４’）を使用した落下防止用手摺の取付固定装置に関するものであり、以下図４乃至図５において、その実施例を説明する。
【００２７】
図４において、２４ａ，２４ｂは窓開口部の竪枠を示し、該竪枠２４ａ，２４ｂの見込み面Ｄには互いに対向する位置に固定金具２６，２６’がドリルネジ４１ａ，４１ｂ，４１ｃ，４１ｄにて固設されている。手摺部材２５はアルミまたステンレス等のパイプからなり、予め、図３にて説明した化粧カバー３４、３４’が嵌通されている。
【００２８】
而して、手摺部材２５は各固定金具２６，２６’上方から図５に示す如く固定金具２６，２６’のU字形状溝を成す手摺部材挟持部２８ａ，２８ｂ間に挟持され、前記固定金具２６，２６’の底辺部４４にて支承され手摺部材２５を装架する。
図５に示す符号４５は固定金具２６，２６’と手摺部材２５を固定するための固着用ドリルネジで、手摺部材２５がアルミ等比較的柔らかい金属材のとき、タップを切る必要もなく、取付固定作業を迅速に行える。また、前記ドリルネジ４５の螺着は従来例と異なり、固定金具２６の側面からの電動ドリル等の工具にて自由に工作出来るよう構成されている。
【００２９】
また、図５においては、左方の手摺固定部は化粧カバー３４’が既に嵌着された状態を示しており、該化粧カバー３４’の嵌着は、図２乃至図３において説明した如く固定金具２６’下部に設けられたラッチ嵌着溝３３に、化粧カバー３４’下部に設けられたラッチ３９が嵌着して、化粧カバー３４’を手摺部材固定部位に固定している。
【００３０】
【発明の効果】
本発明の落下防止用手摺の取付固定装置における固定金具２６，２６’は、壁面（見込み面）Dにドライネジ４１ａ，４１ｂ・・・等で固設され、手摺部材２５を挿嵌把持出来るU字形状溝を成している。
U字形状溝を有する固定金具２６，２６’は前記手摺部材２５を上部から挿嵌把持する構成で、該手摺部材２５の切断寸法誤差は、即ち、手摺部材２５の長短は、手摺部材２５の両端を把持する固定金具２６，２６’のU字形状溝内で許容出来、左右には片側１５mm程度の調整代が出来る。
【００３１】
また本発明においては手摺部材２５を固定金具２６（２６’）に固着するに際して、従来例が作業性の悪い固定金具下部方向からのビス止めであったところを、本発明では、固定金具２６（２６’）の形状をU字形状溝型にして、前記手摺部材２５を把持するよう構成したことで、固定金具２６（２６’）のU字形状溝側面から電動ドリル等の工具で自由に工作することが出来る。
【００３２】
更に、本発明においては、壁面（見込み面）Ｄに固設される固定金具２６，２６’に直接手摺部材２５をドリルネジ４５等にて固着し、該固着形状は、固定金具２６，２６’が手摺部材２５を手摺部材挟持部２８ａ，２８ｂ間及び底辺部４４にて把持した構成で螺着固定されていることから、固定金具２６，２６’と手摺部材２５が両端で強固に固定でき、落下防止用の手摺として十分な強度を持つ落下防止用手摺の取付固定装置を提供する事が出来た。
【００３３】
このように、本発明の構成は上述の種々の好ましい効果を生じるのであり、本発明実施の現実の効果は極めて顕著なものであって、現場処理に於いて優れた結果をもたらす。
【図面の簡単な説明】
【図１】本発明が実施されて最も効果的な例を示す説明図である。
【図２】本発明に使用される固定金具の構成を示す説明図である。
【図３】本発明に使用される化粧カバー材の構成を示す説明図である。
【図４】本発明を実施した場合の取付動作説明図である。
【図５】本発明を実施した場合の取付動作説明図である。
【図６】本発明の従来例を示す説明図である。
【図７】本発明の他の従来例を示す説明図である。
【符号の説明】
１  チャンネル形状の固定金具
２  カバー材
３  手摺部材
４ａ，４ｂ  ビス
５  壁面
６ａ，６ｂ  支持アーム
７ａ，７ｂ  ビス
８  ビス
９  固定ビス
２０  サッシュ
２１  窓開口枠
２２  上枠
２３  下枠
２４ａ、２４ｂ  竪枠
２５，２５’  手摺部材
２６，２６’  固定金具
２７  手摺部材把持部
２８ａ，２８ｂ  手摺部材挟持部
２９ａ，２９ｂ  皿ビス螺着孔
３０ａ，３０ｂ  嵌合溝
３１ａ，３１ｂ  ネジ孔
３２  化粧カバー材下部位置決め溝
３３  ラッチ嵌着溝
３４，３４’  化粧カバー
３５  手摺部材貫通孔
３６ａ，３６ｂ  嵌合突起
３７  下部位置決め突起
３８ａ，３８ｂ  突起レール
３９  ラッチ
４０  ドライバー挿入孔
４１ａ，４１ｂ  ドリルネジ
４４  底辺部
４５  固着用ドリルネジ
Ｄ  見込み面（壁面）
Ｗ  見付け面
Ｇ，Ｇ’  間隙
【図１】
0003635642.tif 000002
【図２】
0003635642.tif 000003
【図３】
0003635642.tif 000004
【図４】
0003635642.tif 000005
【図５】
0003635642.tif 000006
【図６】
0003635642.tif 000007
【図７】
0003635642.tif 000008